(57)【要約】【課題】保留回数表示器と特別図柄表示器と普通図柄表示器を裏樋と共に別の機種に兼用すること。【解決手段】保留回数表示器２４２と特別図柄表示器２４４と普通図柄表示器２５０を裏樋８０の上部裏樋１４０に設け、遊技盤３０と上部裏樋１４０との間に上意匠板１８０を介在した。このため、保留回数表示器２４２と特別図柄表示器２４４と普通図柄表示器２５０の全てを交換することなく上意匠板１８０を交換することで複数の機種相互間の意匠の違いに対応することができるので、保留回数表示器２４２と特別図柄表示器２４４と普通図柄表示器２５０の全てを裏樋８０と共に別の機種に兼用することができる。【選択図】図１６
2007159639.tif 000002
【特許請求の範囲】
【請求項１】
透光性の遊技盤と、
前記遊技盤に設けられ、遊技球が入賞可能な開放状態および遊技球が入賞不能な閉鎖状態に相互に切換わることが可能な可変入賞口装置と、
前記遊技盤に設けられ、遊技球が入賞可能な通常状態および遊技球が通常状態に比べて容易に入賞可能な特別状態に相互に切換わることが可能な始動口装置と、
前記可変入賞口装置を開放状態にする大当りおよび前記可変入賞口装置を開放状態にしない外れを識別するための特別図柄が表示される表示画面を有する特別図柄表示器と、
前記始動口装置を特別状態にする当りおよび前記始動口装置を特別状態にしない外れを識別するための普通図柄が表示される表示画面を有する普通図柄表示器と、
前記遊技盤の後方に設けられ、前記大当りが発生するか否かを視覚的に演出する図柄遊技の映像が表示される表示画面を有する装飾図柄表示器と、
前記図柄遊技の保留回数を表示する保留回数表示器と、
前記遊技盤と前記装飾図柄表示器との間に設けられ、前記装飾図柄表示器の表示画面を取囲む枠状の枠部材と、
前記枠部材と前記遊技盤との間に設けられた装飾部材とを備え、
前記特別図柄表示器と前記普通図柄表示器と前記保留回数表示器の少なくとも一つは、前記装飾部材の後面に対向するように前記枠部材に設けられ、
前記装飾部材には、前記特別図柄表示器の表示内容と前記普通図柄表示器の表示内容と前記保留回数表示器の表示内容の少なくとも一つを前記遊技盤を通して視覚的に認識可能な状態にする窓部が設けられ、
前記装飾部材には、前記窓部の周囲に位置して前記窓部を装飾する装飾部が設けられていることを特徴とするパチンコ遊技機。
【請求項２】
前記枠部材には、前記枠部材の強度を高めるリブが設けられ、
前記枠部材は、前記リブが設けられた面が前記遊技盤の後面に対向するように前記遊技盤に接合されていることを特徴とする請求項１に記載のパチンコ遊技機。
【請求項３】
前記枠部材には、前記特別図柄表示器を収納することが可能な複数の収納部または前記普通図柄表示器を収納することが可能な複数の収納部または前記保留回数表示器を収納することが可能な複数の収納部が設けられていることを特徴とする請求項１〜２のいずれかに記載のパチンコ遊技機。
【発明の詳細な説明】
【技術分野】
【０００１】
本発明は、透光性の遊技盤を備えたパチンコ遊技機に関する。
【背景技術】
【０００２】
上記パチンコ遊技機には遊技盤の後方に装飾図柄表示器を配置し、前方から遊技盤を通して装飾図柄表示器の表示内容を視覚的に認識できるように構成したものがある。この装飾図柄表示器は可変入賞口装置を開放する大当りが発生するか否かを視覚的に演出する図柄遊技図柄の映像が表示されるものであり、装飾図柄表示器と遊技盤との間には枠部材が介在されている。この枠部材は装飾図柄表示器の表示画面を取囲むものであり、表示画面の下面に沿って左右方向へ延びる下枠部と表示画面の上面に沿って左右方向へ延びる上枠部と表示画面の左面に沿って上下方向へ延びる左枠部と表示画面の右面に沿って上下方向へ延びる右枠部を有している。
【特許文献１】特開２００５−１５２５７９号公報
【発明の開示】
【発明が解決しようとする課題】
【０００３】
従来のパチンコ遊技機では下枠部と上枠部と左枠部と右枠部を一体に成形することから枠部材を構成し、枠部材のうち上枠部の下方に枠部材とは別部品である装飾部材を取付けていた。この装飾部材は図柄遊技の保留回数等の遊技情報を表示する遊技情報表示器を支持するベースとして機能するものであり、装飾部材には遊技情報表示器を装飾する装飾部が印刷等されている。この従来のパチンコ遊技機の場合、装飾部材の装飾内容を複数の機種相互間の意匠の違いに合せて変更するには装飾部材を遊技情報表示器と共に交換する必要がある。このため、装飾部材および遊技情報表示器の双方を複数の機種毎に専用に準備しておかなければならないので、遊技情報表示器を枠部材と共に別の機種に兼用することができない。
【０００４】
本発明は上記事情に鑑みてなされたものであり、その目的は、遊技情報表示器を枠部材と共に別の機種に兼用することができるパチンコ遊技機を提供することにある。
【課題を解決するための手段】
【０００５】
＜請求項１記載のパチンコ遊技機の説明＞
請求項１記載のパチンコ遊技機は１）遊技盤〜９）装飾部材を備えたことを特徴とするものである。
１）遊技盤は透光性を有するものであり、図２の符号３０は透光性を有する透明な遊技盤の一例である。
２）可変入賞口装置は遊技球が入賞可能な開放状態および遊技球が入賞不能な閉鎖状態に相互に切換わることが可能なものである。この可変入賞口装置は遊技盤に設けられたものであり、図２の特別電動入賞装置５４は可変入賞口装置の一例である。
３）始動口装置は遊技球が入賞可能な通常状態および遊技球が通常状態に比べて容易に入賞可能な特別状態に相互に切換わることが可能なものである。この始動口装置は遊技盤に設けられたものであり、図２の電動始動装置４８は始動口装置の一例である。この電動始動装置４８は２枚の羽根板５１を有するものであり、２枚の羽根板５１が開いた拡大状態になることに基づいて特別状態になり、２枚の羽根板５１が垂直な縮小状態になることに基づいて通常状態になる。
４）特別図柄表示器は可変入賞口装置を開放状態にする大当りおよび可変入賞口装置を開放状態にしない外れを識別するための特別図柄が表示される表示画面を有するものであり、遊技情報表示器に相当する。図１６の符号２４４は特別図柄表示器の一例であり、図１６の符号２４５は特別図柄表示器２４４の表示画面を示している。
５）普通図柄表示器は始動口装置を特別状態にする当りおよび始動口装置を特別状態にしない外れを識別するための普通図柄が表示される表示画面を有するものであり、遊技情報表示器に相当する。図１６の符号２５０は普通図柄表示器の一例であり、図１６の符号２５１は普通図柄表示器２５０の表示画面を示している。
６）装飾図柄表示器は大当りが発生するか否かを視覚的に演出する図柄遊技の映像が表示される表示画面を有するものであり、遊技盤の後方に設けられている。図３の符号２２０は装飾図柄表示器の一例であり、図３の符号２２１は装飾図柄表示器２２０の表示画面を示している。この表示画面２２１には装飾図柄を変動状態および変動停止状態で順に表示する映像が図柄遊技の映像として表示される。
７）保留回数表示器は図柄遊技の保留回数を表示するものであり、遊技情報表示器に相当する。図４の符号２４２は保留回数表示器の一例である。この保留回数表示器２４２は複数の保留ＬＥＤ２４３の集合体を称するものであり、保留ＬＥＤ２４３の点灯個数で保留回数を表示する。
８）枠部材は遊技盤と装飾図柄表示器との間に設けられたものである。この枠部材は装飾図柄表示器の表示画面を取囲む枠状をなすものであり、枠部材には特別図柄表示器と普通図柄表示器と保留回数表示器の少なくとも一つが９）装飾部材の後面に対向するように設けられている。図３の裏樋８０は枠部材の一例であり、図３の裏樋８０には特別図柄表示器２４４と普通図柄表示器２５０と保留回数表示器２４２の全てが設けられている。
９）装飾部材は枠部材と遊技盤との間に設けられたものであり、装飾部材には特別図柄表示器の表示内容と普通図柄表示器の表示内容と保留回数表示器の表示内容の少なくとも一つを遊技盤を通して視覚的に認識可能な状態にする窓部および窓部の周囲に配置されて窓部を装飾する装飾部が設けられている。このため、特別図柄表示器を交換することなく装飾部材を交換することで複数の機種相互間の意匠の違いに対応したり、普通図柄表示器を交換することなく装飾部材を交換することで複数の機種相互間の意匠の違いに対応したり、保留回数表示器を交換することなく装飾部材を交換することで複数の機種相互間の意匠の違いに対応することができるので、特別図柄表示器と普通図柄表示器と保留回数表示器の少なくとも一つを枠部材と共に別の機種に兼用することができる。図１６の上意匠板１８０は装飾部材の一例であり、図１６の上意匠板１８０には特別図柄表示器２４４の表示内容を遊技盤３０を通して視覚的に認識可能な状態にする特図表示窓部１８６と普通図柄表示器２５０の表示内容を遊技盤３０を通して視覚的に認識可能な状態にする普通図表示窓部１８７と保留回数表示器２４２の表示内容を遊技盤３０を通して視覚的に認識可能な状態にする保留回数表示窓部１８９（図１３参照）の全てが設けられ、特図表示窓部１８６を装飾する装飾部１８６ａと普通図表示窓部１８７を装飾する装飾部１８７ａと保留回数表示窓部１８９を装飾する複数の装飾部１８８ａの全てが設けられている。
＜請求項２記載のパチンコ遊技機の説明＞
請求項２記載のパチンコ遊技機は、枠部材に枠部材の強度を高めるリブを設けたものである。この枠部材はリブが設けられた面が遊技盤の後面に対向するように遊技盤に接合されており、枠部材はリブが設けられた面とは反対側の一面が後方へ指向している。このため、製造段階で遊技盤を枠部材の接合状態で搬送するときに枠部材の平滑な一面を搬送ローラで搬送することができるので、遊技盤をリブの凹凸に影響されることなく安定した姿勢で製造設備に搬送することが可能になる。しかも、遊技盤の後面が搬送ローラに直接的に擦れることがなくなるので、遊技盤の後面に傷が付くことを防止できる。これに加えてリブの視覚的な認識度を装飾部材によって抑えることができるので、リブの影響で見栄えが低下することを防止できる。さらに、枠部材の前面領域をリブによって区画することで特別図柄表示器が収納される収納領域または普通図柄表示器が収納される収納領域を形成することができるので、特別図柄表示器または普通図柄表示器を収納領域内に収納することで枠部材に対して簡単に位置決めすることが可能になる。図７の符号９１と図８の符号１２１と図９の符号１３１と図１０の符号１４１はいずれもリブの一例である。これらリブ９１〜１４１は全て裏樋８０の前面に設けられたものであり、裏樋８０の後面は突部が存在しない平滑面から構成されている。
＜請求項３記載のパチンコ遊技機の説明＞
請求項３記載のパチンコ遊技機は、特別図柄表示器を収納することが可能な複数の収納部または普通図柄表示器を収納することが可能な複数の収納部または保留回数表示器を収納することが可能な複数の収納部を枠部材に設けたものである。このため、特別図柄表示器を複数の収納部内に選択的に収納することで特別図柄表示器の枠部材に対する配置を変更したり、または、普通図柄表示器を複数の収納部内に選択的に収納することで普通図柄表示器の枠部材に対する配置を変更したり、または、保留回数表示器を複数の収納部内に選択的に収納することで保留回数表示器の枠部材に対する配置を変更することができるので、枠部材を交換することなく特別図柄表示器の配置または普通図柄表示器の配置または保留回数表示器の配置を複数の機種相互間の意匠の違いに合せて変更することができる。図１０の表示器収納部１５４〜１５６は特別図柄表示器２４４が選択的に収納される収納部の一例である。この特別図柄表示器２４４は普通図柄表示器２５０と同一のＬＥＤ表示器から構成されたものであり、表示器収納部１５４〜１５６は普通図柄表示器２５０が選択的に収納される収納部を兼用している。
【発明を実施するための最良の形態】
【０００６】
【実施例１】
【０００７】
１．機械的構成の説明
外枠１はパチンコホールの台島に設置されるものであり、図１に示すように、前後面が開口する四角筒状をなしている。この外枠１には合成樹脂製の内枠２が左側辺部の垂直な軸を中心に回動可能に装着されている。この内枠２は外枠１の前端面に接触する閉鎖状態および外枠１の前端面から前方に離間する開放状態に相互に回動操作されるものであり、図１は内枠２を閉鎖状態で示している。この内枠２は、図２に示すように、前後面が開口する四角筒状をなすものであり、内枠２の下端部にはレール台３が形成され、内枠２の内部にはレール台３の上方に位置して遊技盤収納部４が形成されている。レール台３は発射レールが固定されるものであり、遊技盤収納部４は内枠２の内部空間のうちレール台３の残余部分を称する。
【０００８】
内枠２には４個の支え部５が形成されている。これら各支え部５は遊技盤収納部４内に突出する板状をなすものであり、各支え部５にはストッパ６が前後方向へ延びる軸７を中心に回動可能に装着されている。これら各ストッパ６は前後方向へ延びる円柱状の脚部８と脚部８から突出する板状の挟持部９を有するものであり、各軸７は脚部８の内部に同心状に埋設されている。これら各ストッパ６は挟持部材に相当するものである。
【０００９】
内枠２には、図１に示すように、下端部に位置して横長な長方形状の下皿板１０が固定されており、下皿板１０の前面には上面が開口する下皿１１が固定されている。この下皿板１０の上方には上皿板１２が配置されている。この上皿板１２は内枠２に装着されたものであり、上皿板１２の前面には上面が開口する上皿１３が固定されている。下皿板１０の前面には右端部に位置してハンドル台１４が固定されており、ハンドル台１４には発射ハンドル１５が前後方向へ延びる軸を中心に回動可能に装着されている。この発射ハンドル１５の後方には発射モータが固定されており、発射ハンドル１４が回動操作されたときには発射モータに駆動電源が与えられ、発射モータの回転軸が一定方向へ一定速度で回転する。
【００１０】
レール台３には、図２に示すように、発射装置１９が装着されている。この発射装置１９は打球槌とカム機構とリターンスプリングを有するものである。打球槌は「く」字状をなすものであり、打球槌の下端部はレール台３に軸を介して装着されている。この軸は前後方向へ延びるものであり、打球槌は軸を中心に遊技球を叩く打球位置および打球位置から離間する待機位置相互間で回動可能にされている。カム機構は発射モータの回転力を打球槌に伝達することに基づいて打球槌を待機位置から打球位置にリターンスプリングのバネ力に抗して往動操作するものであり、リターンスプリングは打球槌を待機位置から打球位置にバネ力で復動操作する。即ち、発射装置１９は打球槌を待機位置および打球位置相互間で往復操作することに基づいて上皿１３内から供給された遊技球を叩き、遊技球を打力で発射するものである。
【００１１】
内枠２には、図１に示すように、窓枠１６が左側部の垂直な軸を中心に回動可能に装着されている。この窓枠１６は内枠２の前端面に接触する閉鎖状態および内枠２の前端面から前方へ離間する開放状態に相互に回動操作されるものであり、図１は窓枠１６を閉鎖状態で示している。この窓枠１６は円形孔状の窓部を有するものであり、窓部の内周面には透明なガラス窓１７が固定されている。この窓枠１６には左上隅部および右上隅部に位置して３個のランプカバー１８が固定されており、各ランプカバー１８の後方には複数の電飾ＬＥＤが配置されている。これら各電飾ＬＥＤは窓枠１６に固定されたものであり、各ランプカバー１８は後方の電飾ＬＥＤが発光することに基づいて後方から照明される。
【００１２】
内枠２の遊技盤収納部４には、図２に示すように、遊技盤ユニット２０が着脱可能に収納されている。この遊技盤ユニット２０は、図３に示すように、遊技盤３０と裏樋８０と液晶ステー１６０と下意匠板１７０と上意匠板１８０と裏樋カバー１９０と表示器ケース２００と装飾図柄表示器２２０と表示基板ボックス２３０と遊技情報表示器２４０を有するものであり、遊技盤３０〜遊技情報表示器２４０の詳細構成は次の通りである。
１．遊技盤３０の詳細構成
遊技盤３０は前後方向の厚さ寸法が「１０ｍｍ」の透明な合成樹脂（例えばポリカーボネートあるいはアクリルあるいはアクリルにゴムを混ぜた材質）の板からなるものである。この遊技盤３０の前面には、図４に示すように、金属板製の外レール３１が固定されている。この外レール３１は遊技盤３０の前面に対して垂直な円弧状をなすものであり、外レール３１の後端部には、図６に示すように、複数の釘孔３２が形成されている。これら各釘孔３２内には釘部材に相当するレール釘３３の頭部が装着されている。これら各レール釘３３は細長な板材を釘孔３２内に挿入して曲げ重ねることから構成されたものであり、外レール３１は各レール釘３３の先端部を遊技盤３０に圧入することから固定されている。これら各レール釘３３の長さ寸法は遊技盤３０の厚さ寸法に比べて大きな「１８ｍｍ」に設定されており、各レール釘３３の先端部は遊技盤３０を前方から後方に貫通して遊技盤３０の後方に突出している。
【００１３】
遊技盤３０の前面には、図４に示すように、金属板製の内レール３４が固定されている。この内レール３４は遊技盤３０の前面に対して垂直な円弧状をなすものであり、内レール３４の後端部には、図６に示すように、複数の釘孔３５が形成されている。これら各釘孔３５内にはレール釘３３の頭部が装着されている。これら各レール釘３３は外レール３１を遊技盤３０に固定するレール釘３３と同一のものであり、内レール３４は各レール釘３３の先端部を遊技盤３０に圧入することから固定され、内レール３４を遊技盤３０に固定する各レール釘３３の先端部は遊技盤３０を前方から後方に貫通して遊技盤３０の後方に突出している。
【００１４】
外レール３１と内レール３４との間には発射通路３６が形成されている。この発射通路３６は、図４に示すように、遊技盤３０の左端部に位置する円弧状の空間部を称するものであり、発射装置１９が発射した遊技球は発射通路３６内に発射通路３６の入口３７から侵入し、発射通路３６に沿って円弧状の軌跡を描きながら上昇した後に発射通路３６の出口３８から放出される。この発射通路３６は球通路に相当するものである。
【００１５】
遊技盤３０の前面には、図４に示すように、右上部に位置して合成樹脂製の球止め部材３９が固定されている。この球止め部材３９は外レール３１の右端部と内レール３４の右端部との間の隙間を埋めるものであり、球止め部材３９と外レール３１と内レール３４との間には遊技領域４０が形成されている。この遊技領域４０は外レール３１と内レール３４と球止め部材３９によって囲まれた領域のうち発射通路３６を除く円形領域を称するものであり、発射通路３６の出口３８から放出された遊技球が転動可能な最大範囲である転動領域に相当する。
【００１６】
遊技盤３０には遊技領域４０内に位置して飾り部材４１が固定されている。この飾り部材４１は遊技盤３０の前面から突出するものであり、合成樹脂製で且つ透明なものである。この飾り部材４１は第１のレール壁部４２と第２のレール壁部４３と連結壁部４４を有している。第１のレール壁部４２は外レール３１の右上部に対向する円弧状の部分を称するものであり、第１のレール壁部４２と外レール３１との間にはサブ球通路４５が形成されている。このサブ球通路４５は発射通路３６の出口３８から強い勢いで放出された遊技球が侵入するものであり、サブ球通路４５の幅寸法は１個の遊技球が進行することを許容し且つ２個の遊技球が幅方向に並んで進行することを不能にする値に設定されている。
【００１７】
第２のレール壁部４３は内レール３４の左側部に対向する縦長な部分を称するものであり、第２のレール壁部４３と内レール３４との間にはメイン球通路４６が形成されている。このメイン球通路４６の幅寸法は２個以上の遊技球が同時に並んで転動することを許容する大きさに設定されており、発射通路３６の出口３８から弱い勢いで放出された遊技球はメイン球通路４６内に侵入し、メイン球通路４６内を落下する。連結壁部４４は第１のレール壁部４２および第２のレール壁部４３間を連結する略Ｌ字状の部分を称するものであり、発射通路３６の出口３８から強い勢いおよび弱い勢いの中間の勢いで放出された遊技球は連結壁部４４に衝突する。この連結壁部４４に衝突した遊技球は連結壁部４４の傾斜に沿ってメイン球通路４６内に転がり込み、メイン球通路４６内を落下する。遊技盤３０には遊技領域４０の外部に位置して合成樹脂製の銘板台４７が固定されている。この銘板台４７の前面にはシールが貼付されており、シールには機種名・製造社名・大当り確率・賞品球の払出し個数が記入されている。
【００１８】
遊技盤３０には遊技領域４０内に位置して電動始動装置４８が固定されている。この電動始動装置４８は上特別図柄始動口４９および下特別図柄始動口５０を上下２段に有するものであり、上特別図柄始動口４９および下特別図柄始動口５０のそれぞれは上面が開口するポケット状をなしている。これら上特別図柄始動口４９内および下特別図柄始動口５０内には特別図柄始動センサが個別に装着されており、上特別図柄始動口４９内の特別図柄始動センサは遊技球が上特別図柄始動口４９内に入賞したことを検出して特別図柄始動信号を出力し、下特別図柄始動口５０内の特別図柄始動センサは遊技球が下特別図柄始動口５０内に入賞したことを検出して特別図柄始動信号を出力する。
【００１９】
下特別図柄始動口５０には２枚の羽根板５１の下端部が前後方向へ延びる軸を中心に回動可能に装着されており、両羽根板５１は共通の始動口ソレノイドに連結されている。これら両羽根板５１は始動口ソレノイドが通電されることに基づいて略水平な拡大状態に回動するものであり、両羽根板５１の拡大状態では下特別図柄始動口５０の左右両側部を落下する遊技球が羽根板５１によって捕捉されることに基づいて下特別図柄始動口５０内に入賞する。これら両羽根板５１は始動口ソレノイドが断電されることに基づいて略垂直な縮小状態に回動するものであり、両羽根板５１の縮小状態では両羽根板５１相互間に遊技球の直径寸法程度の球通路が形成される。この球通路の真上には上特別図柄始動口４９が近接配置されており、上特別図柄始動口４９は両羽根板５１の縮小状態で両羽根板５１相互間の球通路を上方から閉鎖する。即ち、遊技球は両羽根板５１の縮小状態では上特別図柄始動口４９内のみに入賞することが許容され、両羽根板５１の拡大状態では上特別図柄始動口４９内および下特別図柄始動口５０内の双方に入賞することが許容される。この電動始動装置４８は始動口装置に相当するものであり、両羽根板５１の縮小状態では遊技球が入賞可能な通常状態になり、両羽根板５１の拡大状態では遊技球が通常状態に比べて容易に入賞可能な特別状態になる。
【００２０】
遊技盤３０には、図３に示すように、始動口取付孔５２が形成されている。この始動口取付孔５２内には電動始動装置４８の上樋５２および下樋５３が挿入されており、上樋５２および下樋５３のそれぞれは遊技盤３０の後方に突出している。上樋５２は電動始動装置４８の上特別図柄始動口４９に接続されたものであり、上特別図柄始動口４９内に入賞した遊技球は上特別図柄始動口４９内から上樋５２内に転がり込む。下樋５３は電動始動装置４８の下特別図柄始動口５０に接続されたものであり、下特別図柄始動口５０内に入賞した遊技球は下特別図柄始動口５０内から下樋５３内に転がり込む。これら上樋５２および下樋５３はいずれも前方から後方へ向って下降する傾斜状の底面を有するものであり、上樋５２内の遊技球は上樋５２の底面に沿って後方へ転がり、下樋５３内の遊技球は下樋５３の底面に沿って後方へ転がる。
【００２１】
遊技盤３０には、図４に示すように、遊技領域４０内に位置して特別電動入賞装置５４が固定されている。この特別電動入賞装置５４は前面が開放する特別入賞口および扉５５を有するものであり、扉５５は下端部の水平な軸を中心に回動可能にされている。この扉５５は特別入賞口ソレノイドに連結されており、特別入賞口ソレノイドの断電時には扉５５が垂直な閉鎖状態に回動することに基づいて特別入賞口の前面を遊技球が入賞不能に閉鎖し、特別入賞口ソレノイドの通電時には扉５５が前方へ水平に倒れた開放状態に回動する。この扉５５は開放状態で遊技領域４０内に突出するものであり、扉５５の開放状態では遊技球が扉５５に乗って特別入賞口内に転がり込むことが許容される。この特別入賞口内にはカウントセンサが装着されており、カウントセンサは遊技球が特別入賞口内に入賞したことを検出してカウント信号を出力する。この特別電動入賞装置５４は可変入賞口装置に相当するものである。
【００２２】
遊技盤３０には、図３に示すように、特別入賞口取付孔５６が形成されている。この特別入賞口取付孔５６内には特別電動入賞装置５４の樋５７が挿入されており、樋５７は遊技盤３０の後方へ突出している。この樋５７は特別電動入賞装置５４の特別入賞口に接続されたものであり、特別入賞口内に入賞した遊技球は特別入賞口内から樋５７内に転がり込む。この樋５７は前方から後方へ向って下降する傾斜状の底面を有するものであり、樋５７内の遊技球は樋５７の底面に沿って後方へ転がる。
【００２３】
遊技盤３０には、図４に示すように、電動始動装置４８の左方に位置して左入賞装置５８が固定され、電動始動装置４８の右方に位置して右入賞装置５９が固定されている。これら左入賞装置５８および右入賞装置５９はいずれも遊技領域４０内に配置されたものであり、左入賞装置５８は上面が開口するポケット状をなす２個の左入賞口６０を有し、右入賞装置５９は上面が開口するポケット状をなす２個の右入賞口６１を有している。これら各左入賞口６０内には左入賞口センサが装着され、各右入賞口６１内には右入賞口センサが装着されており、各左入賞口センサは遊技球が左入賞口６０内に入賞したことを検出して入賞信号を出力し、各右入賞口センサは遊技球が右入賞口６１内に入賞したことを検出して入賞信号を出力する。
【００２４】
遊技盤３０には、図３に示すように、始動口取付孔５２の左方に位置して２個の左入賞口取付孔６２が形成されている。これら各左入賞口取付孔６２内には左入賞装置５８の左樋６３が挿入されており、各左樋６３は遊技盤３０の後方へ突出している。これら各左樋６３は左入賞装置５８の左入賞口６０に接続されたものであり、各左入賞口６０内に入賞した遊技球は左入賞口６０内から左樋６３内に転がり込む。これら各左樋６３は前方から後方へ向って下降する傾斜状の底面を有するものであり、各左樋６３内の遊技球は左樋６３の底面に沿って後方へ転がる。
【００２５】
遊技盤３０には、図３に示すように、始動口取付孔５２の右方に位置して２個の右入賞口取付孔６４が形成されている。これら各右入賞口取付孔６４内には右入賞装置５９の右樋６５が挿入されており、各右樋６５は遊技盤３０の後方へ突出している。これら各右樋６５は右入賞装置５９の右入賞口６１に接続されたものであり、各右入賞口６１内に入賞した遊技球は右入賞口６１内から右樋６５内に転がり込む。これら各右樋６５は前方から後方へ向って下降する傾斜状の底面を有するものであり、各右樋６５内の遊技球は右樋６５の底面に沿って後方へ転がる。
【００２６】
遊技盤３０には、図３に示すように、特別入賞口取付孔５６の下方に位置してアウト孔６６が形成されており、内レール３４にはアウト孔６６の前方に位置してアウト球誘導部６７が形成されている。このアウト球誘導部６７は、図４に示すように、内レール３４のうち径方向に突出する部分を称するものであり、内レール３４の最低部に配置されている。このアウト球誘導部６７の底面は後方へ向って下降する傾斜状をなしており、上特別図柄始動口４９と下特別図柄始動口５０と特別入賞口と２個の左入賞口６０と２個の右入賞口６１のいずれにも入賞しなかった遊技球はアウト球誘導部６７に沿ってアウト孔６６内に転がり込む。
【００２７】
遊技盤３０には、図４に示すように、右端部に位置して複数の道釘６８が縦一列に固定されている。これら複数の道釘６８はサブ球通路４５内から放出された遊技球の転動方向を規制するものであり、飾り部材４１の第１のレール壁部４２の延長上に一列に配列されている。遊技盤３０にはメイン球通路４６内に位置して複数の障害釘６９が固定されており、メイン球通路４６内に侵入した遊技球はメイン球通路４６内の障害釘６９に衝突しながら落下する。遊技盤３０には複数の障害釘７０が固定されている。これら障害釘７０は遊技領域４０内のうち飾り部材４１の連結壁部４４から第２のレール壁部４３にかけて配置されたものであり、連結壁部４４に衝突した遊技球は障害釘７０に衝突しながらメイン通路４６内に侵入する。
【００２８】
遊技盤３０には複数の左道釘７１が固定されている。これら左道釘７１は電動始動装置４８を起点として左上りの傾斜状に２列に配置されたものであり、２列の左道釘７１相互間にはメイン球通路４６から脱出した遊技球を電動始動装置４８に誘導する誘導路が形成されている。遊技盤３０には複数の右道釘７２が固定されている。これら右道釘７２は電動始動装置４８を起点として右上りの傾斜状に２列に配置されたものであり、２列の右道釘７２相互間には上方の道釘６８に沿って落下する遊技球を電動始動装置４８に誘導する誘導路が形成されている。
【００２９】
遊技盤３０には、図４に示すように、メイン球通路４６内に位置して普通図柄始動ゲート７３が固定されている。この普通図柄始動ゲート７３は上下面が開口するコ字枠状をなすものであり、メイン球通路４６内を落下する遊技球は普通図柄始動ゲート７３内に普通図柄始動ゲート７３の上面から侵入し、普通図柄始動ゲート７３内に侵入した遊技球は普通図柄始動ゲート７３内を普通図柄始動ゲート７３の下面から脱出する。この普通図柄始動ゲート７３内には普通図柄始動センサが固定されており、普通図柄始動センサは遊技球が普通図柄始動ゲート７３内を通過したことを検出して普通図柄始動信号を出力する。
２．裏樋８０の詳細構成
裏樋８０は、図２に示すように、遊技盤３０の後面に接合されたものであり、枠部材および第１の枠部材に相当する。この裏樋８０は、図３に示すように、下部裏樋９０と左部裏樋１２０と右部裏樋１３０と上部裏樋１４０の４部材を四角枠状に組合せることから構成されたものであり、下部裏樋９０〜上部裏樋１４０の４部材は同一の不透明な合成樹脂を材料に形成されている。以下、下部裏樋９０〜上部裏樋１４０について説明する。
２−１．下部裏樋９０について
下部裏樋９０は下横部に相当するものであり、図７に示すように、前後方向の厚さ寸法が一定な板状をなしている。この下部裏樋９０の前面には線状をなす複数のリブ９１が形成されている。これらリブ９１は下部裏樋９０を平面状に保持する補強機能を有するものであり、下部裏樋９０の後面は突状のリブが存在しない平滑面から構成されている。
【００３０】
下部裏樋９０の前面には意匠板収納部９２が形成されている。この意匠板収納部９２は円弧線状のリブ９１の上方の空間部を称するものであり、下部裏樋９０には意匠板収納部９２内に位置して１個の始動口挿入孔９３と１個の特別入賞口挿入孔９４と２個の左入賞口挿入孔９５と２個の右入賞口挿入孔９６が形成されており、電動始動装置４８の上樋５２および下樋５３は共通の始動口挿入孔９３内に挿入され、特別電動入賞装置５４の樋５７は特別入賞口挿入孔９４内に挿入され、左入賞装置５８の各左樋６３は左入賞口挿入孔９５内に挿入され、右入賞装置５９の各右樋６５は右入賞口挿入孔９６内に挿入されている。この下部裏樋９０にはアウト孔９７およびアウト口９８が形成されている。このアウト口９８はアウト孔９７を取囲む筒状をなすものであり、遊技盤３０のアウト孔６６の内周面に嵌合されることに基づいてアウト孔６６の内周面を覆っている。
【００３１】
下部裏樋９０の前面には意匠板収納部９２の内部に位置して４個のボス部９９が形成されている。これら４個のボス部９９のそれぞれは円筒状をなすものであり、円弧状のリブ９１に沿って配列されている。下部裏樋９０の前面には左下部および右下部のそれぞれに位置してボス部１００が形成されている。これら各ボス部１００は意匠板収納部９２の外部に配置されたものであり、円筒状をなしている。
【００３２】
下部裏樋９０の前面には円弧状のリブ９１に沿って３個のボス部１０１が形成されている。これら３個のボス部１０１はいずれも外レール３１の後方に配置されたものであり、図６に示すように、前後面が開口する円筒状をなしている。これら各ボス部１０１の内部には外レール３１を遊技盤３０に固定するレール釘３３の先端部が収納されており、各ボス部１０１は外レール３１を遊技盤３０に固定するレール釘３３のうち遊技盤３０の後方に突出する突出部分を取囲んでいる。
【００３３】
下部裏樋９０の前面には、図７に示すように、意匠板収納部９２の外部に位置して４個のボス部１０２が形成されている。これら各ボス部１０２は内レール３４の後方に配置されたものであり、図６に示すように、前後面が開口する円筒状をなしている。これら各ボス部１０２の内部には内レール３４を遊技盤３０に固定するレール釘３３の先端部が収納されており、各ボス部１０２は内レール３４を遊技盤３０に固定するレール釘３３のうち遊技盤３０の後方に突出する突出部分を取囲んでいる。下部裏樋９０には、図７に示すように、左ラップ部１０３および右ラップ部１０４が形成されている。これら左ラップ部１０３および右ラップ部１０４のそれぞれは下部裏樋９０の上端面から突出するものであり、左ラップ部１０３および右ラップ部１０４のそれぞれにはネジ挿入孔１０５が形成されている。
【００３４】
下部裏樋９０には左下厚さ調整部１０６および右下厚さ調整部１０７が形成されている。左下厚さ調整部１０６は内枠２の左下の支え部５に前方から押付けられる部分を称するものであり、左下の支え部５（図２参照）に面接触する平面状をなしている。右下厚さ調整部１０７は内枠２の右下の支え部５（図２参照）に前方から押付けられる部分を称するものであり、右下の支え部５に面接触する平面状をなしている。これら左下厚さ調整部１０６の前後方向の厚さ寸法および右下厚さ調整部１０７の前後方向の厚さ寸法のそれぞれは「９．５ｍｍ」に設定されており、遊技盤３０および左下厚さ調整部１０６の合計の厚さ寸法はベニヤ製の遊技盤の厚さ寸法と同一な「１９．５ｍｍ」に設定され、遊技盤３０および右下厚さ調整部１０７の合計の厚さ寸法はベニヤ製の遊技盤の厚さ寸法と同一な「１９．５ｍｍ」に設定されている。下部裏樋９０の前面には、図７に示すように、上端部に位置して円筒状をなす２個のボス部１０８が形成され、各ボス部１０８の斜め下方に位置してボス部１０９およびボス部１１０がそれぞれに形成されている。
２−２．左部裏樋１２０について
左部裏樋１２０は左縦部に相当するものであり、前後方向の厚さ寸法が一定な板状をなしている。この左部裏樋１２０の前面には、図８に示すように、線状をなす複数のリブ１２１が形成されている。これらリブ１２１は左部裏樋１２０を平板状に保持する補強機能を有するものであり、左部裏樋１２０の後面は突状のリブが存在しない平滑面から構成されている。
【００３５】
左部裏樋１２０の下端部には後面が閉鎖された空間状の下収納部１２２が形成され、左部裏樋１２０の上端部には後面が閉鎖された空間状の上収納部１２３が形成されている。下収納部１２２内には下部裏樋９０の左ラップ部１０３が嵌合されており、左ラップ部１０３は左部裏樋１２０に前方から重なっている。この左部裏樋１２０には下収納部１２２内および上収納部１２３内に位置してネジ挿入孔１２４がそれぞれに形成されており、下収納部１２２のネジ挿入孔１２４内には後方からネジ１２５が挿入されている。このネジ１２５は左ラップ部１０３のネジ挿入孔１０５を通して遊技盤３０の後面に螺合されており、左部裏樋１２０はネジ１２５を介して下部裏樋９０に連結され、下部裏樋９０および左部裏樋１２０は共通のネジ１２５を介して遊技盤３０に固定されている。
【００３６】
左部裏樋１２０の前面には１個のボス部１２６が形成されている。このボス部１２６は内レール３４の後方に配置されたものであり、前後面が開口する円筒状をなしている。このボス部１２６の内部には内レール３４を遊技盤３０に固定するレール釘３３の先端部が収納されており、ボス部１２６は内レール３４を遊技盤３０に固定するレール釘３３のうち遊技盤３０の後方に突出する突出部分を取囲んでいる。
【００３７】
左部裏樋１２０の前面には２個のボス部１２７が形成されている。これら各ボス部１２７は外レール３１の後方に配置されたものであり、前後面が開口する円筒状をなしている。これら各ボス部１２７の内部には外レール３１を遊技盤３０に固定するレール釘３３の先端部が収納されており、各ボス部１２７は外レール３１を遊技盤３０に固定するレール釘３３のうち遊技盤３０の後方に突出する突出部分を取囲んでいる。この左部裏樋１２０の前面には円筒状をなす２個のボス部１２８が形成されている。
２−３．右部裏樋１３０について
右部裏樋１３０は右縦部に相当するものであり、前後方向の厚さ寸法が一定な板状をなしている。この右部裏樋１３０の前面には、図９に示すように、線状をなす複数のリブ１３１が形成されている。これらリブ１３１は右部裏樋１３０を平板状に保持する補強機能を有するものであり、右部裏樋１３０の後面は突状のリブが存在しない平滑面から構成されている。
【００３８】
右部裏樋１３０の下端部には後面が閉鎖された空間状の下収納部１３２が形成され、右部裏樋１３０の上端部には後面が閉鎖された空間状の上収納部１３３が形成されている。下収納部１３２内には下部裏樋９０の右ラップ部１０４が嵌合されており、右ラップ部１０４は前方から右部裏樋１３０に重なっている。この右部裏樋１３０には下収納部１３２内および上収納部１３３内に位置してネジ挿入孔１３４がそれぞれに形成されており、下収納部１３２のネジ挿入孔１３４内には後方からネジ１３５が挿入されている。このネジ１３５は右ラップ部１０４のネジ挿入孔１０５を通して遊技盤３０の後面に螺合されており、右部裏樋１３０はネジ１３５を介して下部裏樋９０に連結され、下部裏樋９０および右部裏樋１３０は共通のネジ１３５を介して遊技盤３０に固定されている。
【００３９】
右部裏樋１１０の前面にはボス部１３６が形成されている。このボス部１３６は内レール３４の後方に配置されたものであり、前後面が開口する円筒状をなしている。このボス部１３６の内部には内レール３４を遊技盤３０に固定するレール釘３３の先端部が収納されており、ボス部１３６は内レール３４を遊技盤３０に固定するレール釘３３のうち遊技盤３０の後方に突出する突出部分を取囲んでいる。この右部裏樋１３０の前面には円筒状をなす２個のボス部１３７が形成されている。
２−４．上部裏樋１４０について
上部裏樋１４０は上横部に相当するものであり、前後方向の厚さ寸法が一定な板状をなしている。この上部裏樋１４０の前面には、図１０に示すように、線状をなす複数のリブ１４１が形成されている。これらリブ１４１は上部裏樋１４０を平板状に保持するものであり、上部裏樋１４０の後面は突状のリブが存在しない平滑面から構成されている。
【００４０】
上部裏樋１４０の左下部には左ラップ部１４２が形成されている。この左ラップ部１４２は左部裏樋１２０の上収納部１２３内に嵌合されており、左部裏樋１２０に前方から重なっている。この左ラップ部１４２には貫通状のネジ挿入孔１４４が形成されており、左ラップ部１４２のネジ挿入孔１４４内には後方から左部裏樋１２０のネジ挿入孔１２４を通してネジ１４５が挿入されている。このネジ１４５は遊技盤３０の後面に螺合されており、上部裏樋１４０は左部裏樋１２０にネジ１４５を介して連結され、上部裏樋１４０および左部裏樋１２０は遊技盤３０に共通のネジ１４５を介して固定されている。
【００４１】
上部裏樋１４０の右下部には右ラップ部１４３が形成されている。この右ラップ部１４３は右部裏樋１３０の上収納部１３３内に嵌合されており、右部裏樋１３０に前方から重なっている。この右ラップ部１４３には貫通状のネジ挿入孔１４４が形成されており、右ラップ部１４３のネジ挿入孔１４４内には後方から右部裏樋１３０のネジ挿入孔１３４を通してネジ１４５が挿入されている。このネジ１４５は遊技盤３０の後面に螺合されており、上部裏樋１４０は右部裏樋１３０にネジ１４５を介して連結され、上部裏樋１４０および右部裏樋１３０は遊技盤３０に共通のネジ１４５を介して固定されている。即ち、裏樋８０は下部裏樋９０と左部裏樋１２０と右部裏樋１３０と上部裏樋１４０の全てを別個に形成して相互に連結することで枠状に組合わされたものである。
【００４２】
上部裏樋１４０の前面には、図１０に示すように、上端部に位置して２個のボス部１４６および３個のボス部１４８が形成され、下端部に位置して２個のボス部１４７が形成されている。この上部裏樋１４０の前面には２個のボス部１５１および２個のボス部１５２が形成されている。各ボス部１５１は外レール３１の後方に配置されたものであり、前後面が開口する円筒状をなしている。これら各ボス部１５１の内部には外レール３１を遊技盤３０に固定するレール釘３３の先端部が収納されており、各ボス部１５１は外レール３１を遊技盤３０に固定するレール釘３３のうち遊技盤３０の後方に突出する突出部分を取囲んでいる。
【００４３】
上部裏樋１４０には左上厚さ調整部１４９および右上厚さ調整部１５０が形成されている。左上厚さ調整部１４９は内枠２の左上の支え部５（図２参照）に前方から押付けられる部分を称するものであり、左上の支え部５に面接触する平面状をなしている。右上厚さ調整部１５０は内枠２の右上の支え部５（図２参照）に前方から押付けられる部分を称するものであり、右上の支え部５に面接触する平面状をなしている。これら左上厚さ調整部１４９の前後方向の厚さ寸法および右上厚さ調整部１５０の前後方向の厚さ寸法のそれぞれは「９．５ｍｍ」に設定されており、遊技盤３０および左上厚さ調整部１４９の合計の厚さ寸法はベニヤ製の遊技盤の厚さ寸法と同一な「１９．５ｍｍ」に設定され、遊技盤３０および右上厚さ調整部１５０の合計の厚さ寸法はベニヤ製の遊技盤の厚さ寸法と同一な「１９．５ｍｍ」に設定されている。
【００４４】
上部裏樋１４０には、図１０に示すように、３個の表示器収納部１５４〜１５６が形成されている。これら表示器収納部１５４〜１５６のそれぞれは相互に間隔を置いて隣接する２本の垂直なリブ１４１および相互に間隔を置いて隣接する２本の水平なリブ１４１の合計４本によって囲まれた空間部を称するものであり、遊技盤３０の遊技領域４０内に配置されている。これら表示器収納部１５４〜１５６は収納部に相当するものであり、上部裏樋１４０には表示器収納部１５４内〜表示器収納部１５６内のそれぞれに位置して円形状の配線孔１５８が形成されている。上部裏樋１４０には表示器収納部１５４の左方〜表示器収納部１５６の左方のそれぞれに位置して上下方向に並ぶ２個のＬＥＤ挿入孔１５７が形成され、表示器収納部１５４内の４隅部〜表示器収納部１５６内の４隅部のそれぞれに位置してボス部１５９が形成されている。これら各ボス部１５９は上部裏樋１４０の前面に形成されたものであり、後面が閉鎖された円筒状をなしている。
３．液晶ステー１６０の詳細構成
液晶ステー１６０は第２の枠部材に相当するものであり、透明な合成樹脂を材料に形成されている。この液晶ステー１６０は、図１１に示すように、下横部に相当する下部ステー１６１と左縦部に相当する左部ステー１６２と右縦部に相当する右部ステー１６３と上横部に相当する上部ステー１６４を有している。これら下部ステー１６１と左部ステー１６２と右部ステー１６３と上部ステー１６４の全ては相互に別個に形成されたものであり、いずれも断面コ字状をなしている。これら下部ステー１６１と左部ステー１６２と右部ステー１６３と上部ステー１６４は相互に溶着されることで四角枠状に接合されたものであり、下部ステー１６１と左部ステー１６２と右部ステー１６３と上部ステー１６４の下部ステー１６１と左部ステー１６２と右部ステー１６３と上部ステー１６４のそれぞれには２個のネジ挿入孔１６５が形成されている。
【００４５】
液晶ステー１６０の各ネジ挿入孔１６５内には、図３に示すように、後方からネジ１６６が挿入されており、下部ステー１６１は下部ステー１６１の各ネジ１６６を下部裏樋９０のボス部１０８内に螺合することで下部裏樋９０の後面に直接的に固定され、左部ステー１６２は左部ステー１６２の各ネジ１６６を左部裏樋１２０のボス部１２８内に螺合することで左部裏樋１２０の後面に直接的に固定され、右部ステー１６３は右部ステー１６３の各ネジ１６６を右部裏樋１３０のボス部１３７内に螺合することで右部裏樋１３０の後面に直接的に固定され、上部ステー１６４は上部ステー１６４の各ネジ１６６を上部裏樋１４０のボス部１４７内に螺合することで上部裏樋１４０の後面に直接的に固定されている。
３．下意匠板１７０の詳細構成
下意匠板１７０は無色透明な合成樹脂を材料に形成されたものである。この下意匠板１７０は下部裏樋９０の意匠板収納部９２内に収納されたものであり、遊技盤３０と下部裏樋９０との間に配置されている。この下意匠板１７０の前面には有色不透明な絵柄が印刷されており、下意匠板１７０の絵柄は前方から遊技盤３０を通して視覚的に認識可能にされている。即ち、下意匠板１７０は遊技盤３０のうち電動始動装置４８と特別電動入賞装置５４と左入賞装置５８と右入賞装置５９が装着された下部領域を装飾するものである。
【００４６】
下意匠板１７０には、図１２に示すように、１個の始動口挿入孔１７１と１個の特別入賞口挿入孔１７２と２個の左入賞口挿入孔１７３と２個の右入賞口挿入孔１７４と１個の切欠部１７５が形成されており、電動始動装置４８の上樋５２および下樋５３は始動口挿入孔１７１内を通して下部裏樋９０の始動口挿入孔９３内に挿入され、特別電動入賞装置５４の樋５７は特別入賞口挿入孔１７２内を通して下部裏樋９０の特別入賞口挿入孔９４内に挿入され、左入賞装置５８の各左樋６３は左入賞口挿入孔１７３を通して下部裏樋９０の左入賞口挿入孔９５内に挿入され、右入賞装置５９の各右樋６５は右入賞口挿入孔１７４を通して下部裏樋９０の右入賞口挿入孔９６内に挿入され、下部裏樋９０のアウト口９８は切欠部１７５を通して遊技盤３０のアウト孔６６内に嵌合されている。
【００４７】
下意匠板１７０には、図１２に示すように、４個のネジ挿入孔１７６が形成されている。これら各ネジ挿入孔１７６内には、図３に示すように、前方からネジ１７７が挿入されており、下意匠板１７０は各ネジ１７７を下部裏樋９０のボス部９９内に螺合することで下部裏樋９０に固定されている。この状態では下部裏樋９０の３個のボス部１０１および１個のボス部１０２が下意匠板１７０の外部に位置しており、レール釘３３の先端部は下意匠板１７０を貫通することなくボス部１０１内またはボス部１０２内に収納されている。
４．上意匠板１８０の説明
上意匠板１８０は装飾部材に相当するものである。この上意匠板１８０は遊技盤３０と上部裏樋１４０との間に配置されたものであり、無色透明な合成樹脂を材料に形成されている。この上意匠板１８０の前面には有色不透明な絵柄が印刷されており、上意匠板１８０の絵柄は前方から遊技盤３０を通して視覚的に認識可能にされている。この上意匠板１８０には、図１３に示すように、３個のネジ挿入孔１８１が形成されている。これら各ネジ挿入孔１８１内には、図３に示すように、前方からネジ１８２が挿入されており、上意匠板１８０は各ネジ１８２を上部裏樋１４０のボス部１４８内に螺合することで上部裏樋１４０に固定されている。
【００４８】
上意匠板１８０の上端部には、図１３に示すように、２個のネジ挿入孔１８３が形成されており、各ネジ挿入孔１８３内には、図３に示すように、後方から上部裏樋１４０のボス部１４６を通してネジ１８４が挿入されている。これら各ネジ１８４は遊技盤３０の後面に螺合されており、上意匠板１８０は上部裏樋１４０と共にネジ１８４を介して遊技盤３０に固定されている。この上意匠板１８０には、図１３に示すように、２個の釘挿入孔１８５が形成されており、外レール３１を遊技盤３０に固定する所定のレール釘３３の先端部は釘挿入孔１８５を通して上部裏樋１４０のボス部１５１内に挿入されている。
【００４９】
上意匠板１８０には、図１３に示すように、窓部に相当する特図表示窓部１８６が形成されている。この特図表示窓部１８６は上部裏樋１４０の左列の表示器収納部１５５（図１０参照）の前方に配置されたものであり、左列の表示器収納部１５５と同一形状に設定されている。この特図表示窓部１８６は上意匠板１８０のうち有色不透明な絵柄が形成されていない無色透明な部分を称するものであり、上意匠板１８０には、図１３に示すように、特図表示窓部１８６の周囲に位置して装飾部１８６ａが形成されている。この装飾部１８６ａは有色不透明な絵柄が印刷された部分のうち特図表示窓部１８６を取囲む部分を称するものであり、特図表示窓部１８６は周囲の装飾部１８６ａによって装飾されている。
【００５０】
上意匠板１８０には、図１３に示すように、窓部に相当する普通図表示窓部１８７が形成されている。この普通図表示窓部１８７は上部裏樋１４０の中列の表示器収納部１５６（図１０参照）の前方に配置されたものであり、中列の表示器収納部１５６と同一形状に設定されている。この普通図表示窓部１８７は上意匠板１８０のうち有色不透明な絵柄が形成されていない無色透明な部分を称するものであり、上意匠板１８０には、図１３に示すように、普通図表示窓部１８７の周囲に位置して装飾部１８７ａが形成されている。この装飾部１８７ａは有色不透明な絵柄が印刷された部分のうち普通図表示窓部１８７を取囲む部分を称するものであり、普通図表示窓部１８７は周囲の装飾部１８７ａによって装飾されている。
【００５１】
上意匠板１８０には、図１３に示すように、特図表示窓部１８６の左方に位置して上下方向に並ぶ２個の保留表示窓１８８が形成され、普通図表示窓部１８７の左方に位置して上下方向に並ぶ２個の保留表示窓１８８が形成されている。これら４個の保留表示窓１８８は窓部に相当する保留回数表示窓部１８９を構成するものであり、特図表示窓部１８６の左方の各保留表示窓１８８は表示器収納部１５５の左方のＬＥＤ挿入孔１５７（図１０参照）の前方に配置され、普通図表示窓部１８７の左方の各保留表示窓１８８は表示器収納部１５６の左方のＬＥＤ挿入孔１５７（図１０参照）の前方に配置されている。これら各保留表示窓１８８は上意匠板１８０のうち有色不透明な絵柄が形成されていない無色透明な部分を称するものであり、上意匠板１８０には各保留表示窓１８８の周囲に位置して装飾部１８８ａが形成されている。これら各装飾部１８８ａは有色不透明な絵柄が印刷された部分のうち保留表示窓１８８を取囲む部分を称するものであり、各保留表示窓１８８は周囲の装飾部１８８ａによって装飾されている。
５．裏樋カバー１９０の説明
裏樋カバー１９０には、図１４に示すように、２個のネジ挿入孔１９１が形成されている。これら各ネジ挿入孔１９１内には、図３に示すように、後方からネジ１９２が挿入されており、裏樋カバー１９０は各ネジ１９２を下部裏樋９０のボス部１０９内に螺合することで下部裏樋９０の後面に固定されている。この裏樋カバー１９０には、図１４に示すように、２個のネジ挿入孔１９３が形成されている。これら各ネジ挿入孔１９３内には、図３に示すように、後方からネジ１９４が挿入されており、裏樋カバー１９０は各ネジ１９４を下部裏樋９０のボス部１００内を通して遊技盤３０の後面に螺合することで下部裏樋９０と共に遊技盤３０の後面に固定されている。
【００５２】
裏樋カバー１９０は下部裏樋９０を後方から覆うものであり、下部裏樋９０の左下厚さ調整部１０６および下部裏樋９０の右下厚さ調整部１０７は、図５に示すように、裏樋カバー１９０の外部に配置されている。この裏樋カバー１９０には、図１４に示すように、左入賞球排出路１９５と始動球排出路１９６と特別入賞球排出路１９７と右入賞球排出路１９８が形成されている。左入賞球排出路１９４は左入賞装置５８の両左樋６３から落下した遊技球が侵入するものであり、両左樋６３から落下した遊技球は左入賞球排出路１９５を通して裏樋カバー１９０の外部に排出される。始動球排出路１９６は電動始動装置４８の上樋５２から落下した遊技球および電動始動装置４８の下樋５３から落下した遊技球が侵入するものであり、上樋５２から落下した遊技球および下樋５３から落下した遊技球は始動球排出路１９６を通して裏樋カバー１９０の外部に排出される。
【００５３】
特別入賞球排出路１９７は特別電動入賞装置５４の樋５７から落下した遊技球が侵入するものであり、樋５７から落下した遊技球は特別入賞球排出路１９７を通して裏樋カバー１９０の外部に排出される。右入賞球排出路１９８は右入賞装置５９の両右樋６５から落下した遊技球が侵入するものであり、両右樋６５から落下した遊技球は右入賞球排出路１９８を通して裏樋カバー１９０の外部に排出される。
６．表示器ケース２００の説明
表示器ケース２００は、図１５に示すように、下板部２０１と左板部２０２と右板部２０３と上板部２０４と後板部２０５を有する矩形皿状をなすものであり、下板部２０１と左板部２０２と右板部２０３と上板部２０４と後板部２０５の間には空間状の表示器収納部２０６が形成されている。この表示器ケース２００は金属板を材料に形成されたものであり、左板部２０２および右板部２０３のそれぞれには２個のネジ挿入孔２０７が形成されている。
【００５４】
表示器ケース２００の下板部２０１には２枚の下プレート２０８が左右方向に間隔を置いて形成されており、各下プレート２０８にはネジ挿入孔２０９が形成されている。これら各ネジ挿入孔２０９内には、図３に示すように、後方からネジ２１０が挿入されており、各ネジ２０９は下部裏樋９０のボス部１１０内に螺合されている。この表示器ケース２００の上板部２０４には、図１４に示すように、上プレート２１１が形成されており、上プレート２１１には２個のネジ挿入孔２１２が形成されている。これら各ネジ挿入孔２１２内には、図３に示すように、後方からネジ２１３が挿入されており、各ネジ２１３は上部裏樋１４０のボス部１５２内に螺合されている。即ち、表示器ケース２００は下部裏樋９０および上部裏樋１４０に固定されたものであり、表示器ケース２００の固定状態では液晶ステー１６０の下部ステー１６１と左部ステー１６２と右部ステー１６３と上部ステー１６４の全てが表示器ケース２００の表示器収納部２０６内に収納され、表示器ケース２００の上板部２０４が液晶ステー１６０の上部ステー１６４に接触することに基づいて下方から支えられている。
７．装飾図柄表示器２２０の説明
装飾図柄表示器２２０は表示器ケース２００の表示器収納部２０６内に収納されたものであり、図３に示すように、２０インチのカラー液晶画面２２１および液晶画面２２１を保持する矩形状の画面フレーム２２２を有している。この画面フレーム２２２は液晶ステー１６０と表示器ケース２００の後板部２０５との間で挟持されており、液晶ステー１６０に接触状態で配置されている。この画面フレーム２２２の左側面には表示器ケース２００の左板部２０２の各ネジ挿入孔２０７を通してネジが螺合され、画面フレーム２２２の右側面には表示器ケース２００の右板部２０３の各ネジ挿入孔２０７を通してネジが螺合されており、装飾図柄表示器２００は４本のネジを介して表示器ケース２００に固定されている。
【００５５】
装飾図柄表示器２２０の液晶画面２２１は裏樋８０の下部裏樋９０と左部裏樋１２０と右部裏樋１３０と上部裏樋１４０で囲まれた内部空間に配置されており、下部裏樋９０は液晶画面２２１の下端面に沿って横方向へ延び、左部裏樋１２０は液晶画面２２１の左側面に沿って縦方向へ延び、右部裏樋１３０は液晶画面２２１の右側面に沿って縦方向へ延び、上部裏樋１４０は液晶画面２２１の上端面に沿って横方向へ延びている。しかも、装飾図柄表示器２２０の液晶画面２２１は液晶ステー１６０の下部ステー１６１と左部ステー１６２と右部ステー１６３と上部ステー１６４で囲まれた内部空間に配置されており、下部ステー１６１は液晶画面２２１の下端面に沿って横方向へ延び、左部ステー１６２は液晶画面２２１の左側面に沿って縦方向へ延び、右部ステー１６３は液晶画面２２１の右側面に沿って縦方向へ延び、上部ステー１６４は液晶画面２２１の上端面に沿って横方向へ延びている。
【００５６】
装飾図柄表示器２２０の液晶画面２２１は表示画面に相当するものであり、前方から遊技盤３０と裏樋８０の内部空間と液晶ステー１６０の内部空間を通して全体が視覚的に認識可能にされている。この装飾図柄表示器２２０は図柄表示器に相当するものであり、装飾図柄表示器２２０の液晶画面２２１には装飾図柄が表示される。この装飾図柄は左列の図柄要素と中列の図柄要素と右列の図柄要素の組合せ図柄を称するものであり、大当りおよび外れを識別するための識別図柄に相当する。
８．表示基板ボックス２３０の詳細構成
表示基板ボックス２３０は、図５に示すように、表示器ケース２００の後板部２０５に固定されたものである。この表示基板ボックス２３０の内部にはプリント配線基板が収納されており、プリント配線基板には表示制御回路が搭載されている。この表示制御回路はマイクロコンピュータを主体に構成されたものであり、装飾図柄表示器２２０の液晶画面２２１に装飾図柄遊技の映像を表示する。
９．遊技情報表示器２４０の詳細構成
上部裏樋１４０の後面には、図１６に示すように、プリント配線基板からなる表示基板２４１が固定されている。この表示基板２４１と上部裏樋１４０との間には複数のスペーサ２５６が介在されており、表示基板２４１と上部裏樋１４０との間には隙間が形成されている。この表示基板２４１の前面には、図４に示すように、保留回数表示器２４２が搭載されている。この保留回数表示器２４２は４個の保留ＬＥＤ２４３から構成されたものであり、各保留ＬＥＤ２４３は、図１６に示すように、上部裏樋１４０のＬＥＤ挿入孔１５７内に挿入されることに基づいて上意匠板１８０の保留表示窓１８８の後方に配置され、保留表示窓１８８の周囲の装飾部１８８ａによって装飾されている。即ち、４個の保留ＬＥＤ２４３のそれぞれは前方から透明な遊技盤３０および上意匠板１８０の保留表示窓１８８を通して視覚的に認識可能にされたものであり、４個のＬＥＤ挿入孔１５７は保留回数表示器２４２が収納される収納部１５３（図１０参照）を構成するものである。
【００５７】
上部裏樋１４０の左列の表示器収納部１５５内には、図１６に示すように、特別図柄表示器２４４が収納されている。この特別図柄表示器２４４は８セグメント形のＬＥＤ表示器からなるものであり、表示画面２４５および枠部２４６を有している。表示画面２４５は大当りおよび外れを識別するための特別図柄が表示される領域を称するものであり、枠部２４６は表示画面２４５を取囲む部分を称するものであり、表示画面２４５を装飾する機能を有している。
【００５８】
特別図柄表示器２４４は前方から枠部２４６を通して表示器収納部１５５内の４個のボス部１５９内にネジ２４７を締込むことで固定されたものであり、表示器収納部１５５を確定する上方のリブ１４１と下方のリブ１４１と左方のリブ１４１と右方のリブ１４１の４本によって位置決めされている。この特別図柄表示器２４４の配線２４８は表示器収納部１５５内の配線孔１５８を通して上部裏樋１４０の後方に導出され、表示基板２４１にコネクタ２４９を介して電気的に接続されている。この特別図柄表示器２４４の表示画面２４５および枠部２４６の双方は上意匠板１８０の特図表示窓部１８６の後方に配置されており、表示画面２４５および枠部２４６の双方は前方から透明な遊技盤３０および上意匠板１８０の特図表示窓部１８６を通して視覚的に認識可能にされ、特図表示窓部１８６の周囲の装飾部１８６ａによって装飾されている。
【００５９】
上部裏樋１４０の中列の表示器収納部１５６内には、図１６に示すように、普通図柄表示器２５０が収納されている。この普通図柄表示器２５０は８セグメント形のＬＥＤ表示器からなるものであり、表示画面２５１および枠部２５２を有している。表示画面２５１は当りおよび外れを識別する普通図柄が表示される領域を称するものであり、枠部２５２は表示画面２５１を取囲む部分を称するものであり、表示画面２５１を装飾する機能を有している。
【００６０】
普通図柄表示器２５０は前方から枠部２５２を通して表示器収納部１５６内の４個のボス部１５９内にネジ２５３を締込むことで固定されたものであり、表示器収納部１５６を確定する上方のリブ１４１と下方のリブ１４１と左方のリブ１４１と右方のリブ１４１の４本によって位置決めされている。この普通図柄表示器２５０の配線２５４は表示器収納部１５６内の配線孔１５８を通して上部裏樋１４０の後方に導出され、表示基板２４１にコネクタ２５５を介して電気的に接続されている。この普通図柄表示器２５０の表示画面２５１および枠部２５２の双方は上意匠板１８０の普通図表示窓部１８７の後方に配置されており、表示画面２５１および枠部２５２の双方は前方から透明な遊技盤３０および上意匠板１８０の普通図表示窓部１８７を通して視覚的に認識可能にされ、普通図表示窓部１８７の周囲の装飾部１８７ａによって装飾されている。
【００６１】
保留回数表示器２４２と特別図柄表示器２４４と普通図柄表示器２５０はメイン制御回路が制御するものであり、メイン制御回路は装飾図柄表示器２２０を制御する表示制御回路とは別個のマイクロコンピュータを主体に構成されたものである。
１０．遊技盤ユニット３０の装着状態について
遊技盤ユニット３０は窓枠１６の開放状態で前方から内枠２の遊技盤収納部４内に収納されたものである。この遊技盤ユニット３０の収納状態では裏樋８０の左下厚さ調整部１０６と右下厚さ調整部１０７と左上厚さ調整部１４９と右上厚さ調整部１５０のそれぞれが内枠２の支え部５によって後方から支えられており、各ストッパ６が遊技盤３０に前方から重なるロック状態に回動操作されたときには左下厚さ調整部１０６が遊技盤３０と共に前方のストッパ６と後方の支え部５との間で挟持され、右下厚さ調整部１０７が遊技盤３０と共に前方のストッパ６と後方の支え部５との間で挟持され、左上厚さ調整部１４９が遊技盤３０と共に前方のストッパ６と後方の支え部５との間で挟持され、右上厚さ調整部１５０が遊技盤３０と共に前方のストッパ６と後方の支え部５との間で挟持される。即ち、遊技盤ユニット３０は４隅部が支え部５およびストッパ６間でそれぞれに挟持されることで内枠２に固定されている。
【００６２】
遊技盤ユニット３０は窓枠１６の開放状態で内枠２の遊技盤収納部４内から取外されるものである。この場合には各ストッパ６を遊技盤３０から外れるアンロック状態に回動操作し、左下厚さ調整部１０６と右下厚さ調整部１０７と左上厚さ調整部１４９と右上厚さ調整部１５０のそれぞれを遊技盤３０と共に挟持解除状態にする。即ち、４個のストッパ６は遊技盤ユニット３０を内枠２に着脱可能に保持するものである。
１１．遊技機能の説明
１１−１．普通図柄遊技機能
普通図柄表示器２５０の表示画面２５１には普通図柄が可変停止状態で表示されており、遊技球が普通図柄始動ゲート７３内を通過したときには普通図柄が可変停止状態から可変状態になり、可変状態から可変停止状態になる。この可変状態とは普通図柄を「外れの態様（×）」および「当りの態様（○）」で交互に切換え表示するものであり、普通図柄が可変停止状態で当りの態様になったときには当り遊技が開始され、普通図柄が外れの態様になったときには当り遊技が開始されない。この当り遊技は電動始動装置４８の両羽根板５１を拡大状態に操作し、電動始動装置４８の下特別図柄始動口５０を遊技球が入賞可能な開放状態に切換えることで電動始動装置４８を遊技球が通常状態に比べて容易に入賞することが可能な特別状態にするものであり、両羽根板５１は下特別図柄始動口５０の開放時間が上限値に達するまで拡大状態に保持される。
１１−２．特別図柄遊技機能
特別図柄表示器２４４の表示画面２４５には特別図柄が可変停止状態で表示されており、遊技球が電動始動装置４８の上特別図柄始動口４９内および下特別図柄始動口５０内のいずれかに入賞したときには特別図柄が可変停止状態から可変状態になり、可変状態から可変停止状態になる。この可変状態とは特別図柄を「外れの態様（―）」→「通常大当りの態様（３）」→「特別大当りの態様（７）」→「外れの態様（―）」・・・の順序で循環的に切換え表示するものであり、特別図柄が可変停止状態で通常大当りの態様および特別大当りの態様のいずれかになったときには大当り遊技が開始され、特別図柄が外れの態様になったときには大当り遊技が開始されない。この大当り遊技は特別電動入賞装置５４の扉５５を開放し、特別電動入賞装置５４の特別入賞口内に遊技球が入賞することを許容する遊技者有利の状態を発生させるものであり、扉５５は特別入賞口内に上限値「１０個」の遊技球が入賞する個数条件または開放時間が上限値「３０ｓｅｃ」に達する時間条件が満足されるまで開放状態に保持される。この扉５５の個数条件および時間条件を基準とする開閉動作は大当りラウンドと称されるものであり、大当りラウンドは固定的な設定回数「１５回」だけ繰返される。
１１−３．装飾図柄遊技機能
装飾図柄表示器２２０の液晶画面２２１には装飾図柄の左列の図柄要素と中列の図柄要素と右列の図柄要素が変動停止状態で表示されており、遊技球が電動始動装置４８の上特別図柄始動口４９内および下特別図柄始動口５０内のいずれかに入賞したときには３列の図柄要素が変動停止状態から変動状態になり、変動状態から変動停止状態になる。この変動状態とは縦一列に並ぶ「１」〜「８」の８種の図柄要素を縦方向に表示範囲が移動するようにスクロール表示するものであり、各列の図柄要素は上から下へ移動しながら「１」→「２」→「３」→「４」→「５」→「６」→「７」→「８」→「１」…の順序で循環的に変化する。この装飾図柄を変動停止状態から変動状態を経て変動停止状態で順に表示する変動表示の映像は大当りが発生するか否かを視覚的に演出する図柄遊技の映像に相当するものである。
【００６３】
装飾図柄が変動停止状態で通常大当りの組合せおよび特別大当りの組合せのいずれかになったときには大当り遊技が開始され、装飾図柄が通常大当りの組合せおよび特別大当りの組合せのいずれにもならなかったときには大当り遊技が開始されない。通常大当りの組合せとは左列の図柄要素と中列の図柄要素と右列の図柄要素が相互に同一な組合せを称するものであり、通常大当りの組合せには「２２２」「４４４」「６６６」「８８８」の４通りが設定されている。特別大当りの組合せとは左列の図柄要素と中列の図柄要素と右列の図柄要素が相互に同一な組合せを称するものであり、特別大当りの組合せには「１１１」「３３３」「５５５」「７７７」の４通りが設定されている。この装飾図柄の変動停止状態での組合せは特別図柄の可変停止状態での態様に応じて決まるものであり、特別図柄が通常大当りの態様で可変停止するときには装飾図柄が通常大当りの組合せで変動停止し、特別図柄が特別大当りの態様で可変停止するときには装飾図柄が特別大当りの組合せで変動停止し、特別図柄が外れの態様で可変停止するときには装飾図柄が通常大当りの組合せおよび特別大当りの組合せのいずれとも相違する外れの組合せで変動停止する。
１１−４．保留機能
装飾図柄遊技を即座に開始することができない装飾図柄遊技中および大当り遊技中に遊技球が上特別図柄始動口４９内または下特別図柄始動口５０内に入賞したときには装飾図柄遊技が保留される。この装飾図柄遊技の保留回数には上限値「４」が設定されており、保留回数が上限値「４」に到達した状態で遊技球が上特別図柄始動口４９内または下特別図柄始動口５０内に入賞したときには装飾図柄遊技が保留されない。保留回数表示器２４２は装飾図柄遊技の保留回数を表示するものであり、保留回数が「１」であるときには１個の保留ＬＥＤ２４３が点灯し、保留回数が「２」であるときには２個の保留ＬＥＤ２４３が点灯し、保留回数が「３」であるときには３個の保留ＬＥＤ２４３が点灯し、保留回数が「４」であるときには４個の保留ＬＥＤ２４３が点灯する。
１１−５．確率変動機能
確率変動モードは大当りを確率変動モードの無効状態に比べて高い一定確率で判定する高確率モードである。この確率変動モードは特別図柄が特別大当りの態様で停止表示されることに基づいて有効化されるものであり、特別図柄が通常大当りの態様で停止表示されることに基づいて無効化される。この確率変動モードの有効状態では当りの判定確率が確率変動モードの無効状態に比べて高められ、電動始動装置４８の両羽根板５１の拡大時間が確率変動モードの無効状態に比べて延長されており、確率変動モードの無効状態に比べて多数個の遊技球が電動始動装置４８の下特別図柄始動口５０内に入賞可能になる。
【００６４】
上記実施例１によれば次の効果を奏する。
保留回数表示器２４２と特別図柄表示器２４４と普通図柄表示器２５０を裏樋８０の上部裏樋１４０に設け、遊技盤３０と上部裏樋１４０との間に上意匠板１８０を介在した。このため、保留回数表示器２４２と特別図柄表示器２４４と普通図柄表示器２５０の全てを交換することなく上意匠板１８０を交換することで複数の機種相互間の意匠の違いに対応することができるので、保留回数表示器２４２と特別図柄表示器２４４と普通図柄表示器２５０の全てを裏樋８０と共に別の機種に兼用することができる。
【００６５】
下部裏樋９０の前面だけにリブ９１を形成し、左部裏樋１２０の前面だけにリブ１２１を形成し、右部裏樋１３０の前面だけにリブ１３１を形成し、上部裏樋１４０の前面だけにリブ１４１を形成し、リブ９１とリブ１２１とリブ１３１とリブ１４１の全てが遊技盤３０の後面に対向するように裏樋８０の前面側を遊技盤３０に接合したので、裏樋８０の後面が平滑化される。このため、製造段階で遊技盤３０を裏樋８０の接合状態で製造設備に搬送するときに裏樋８０の平滑な後面を搬送ローラで搬送することができるので、遊技盤３０をリブ９１〜１４１の凹凸に影響されることなく安定した姿勢で製造設備に搬送することが可能になる。しかも、製造段階で遊技盤３０の後面が搬送ローラに直接的に擦れたり、あるいは、遊技盤３０を積上げて保管するときに遊技盤３０の後面が下方に位置する遊技盤３０の外レール３１および内レール３４に擦れて傷付くことが防止される。このため、遊技盤３０が製造段階で不良品となる度合が少なくなるので、歩留まりが向上する。
【００６６】
遊技盤３０と上部裏樋１４０との間に上意匠板１８０を介在し、遊技盤３０と下部裏樋９０との間に下意匠板１７０を介在したので、上部裏樋１４０のリブ１４１の視覚的な認識度を上意匠板１８０によって抑え、下部裏樋９０のリブ９１の視覚的な認識度を下意匠板１７０によって抑えることができるので、リブ９１およびリブ１４１の影響で見栄えが低下することを防止できる。
【００６７】
特別図柄表示器２４４を収納することが可能な複数の表示器収納部１５４〜１５６を上部裏樋１４０に形成した。このため、特別図柄表示器２４４を複数の表示器収納部１５４内〜１５６内に選択的に収納することで特別図柄表示器２４４の上部裏樋１４０に対する配置を変更することができるので、裏樋８０を交換することなく特別図柄表示器２４４の配置を複数の機種相互間の意匠の違いに合せて変更することができる。しかも、上部裏樋１４０の前面領域をリブ１４１によって区画することで表示器収納部１５４〜１５６を形成したので、特別図柄表示器２４４および普通図柄表示器２５０を表示器収納部１５４内〜１５６内のいずれかに収納することで上部裏樋１４０に対して簡単に位置決めすることができる。
【００６８】
特別図柄表示器２４４および普通図柄表示器２５０を相互に同一のＬＥＤ表示器から構成し、普通図柄表示器２５０を複数の表示器収納部１５４内〜１５６内に選択的に収納可能に構成した。このため、普通図柄表示器２５０を複数の表示器収納部１５４内〜１５６内に選択的に収納することで普通図柄表示器２５０の上部裏樋１４０に対する配置を変更することができるので、裏樋８０を交換することなく普通図柄表示器２５０の配置を複数の機種相互間の意匠の違いに合せて変更することができる。
【００６９】
裏樋８０に左下厚さ調整部１０６と右下厚さ調整部１０７と左上厚さ調整部１４９と右上厚さ調整部１５０を形成することで遊技盤３０の４隅部の厚さ寸法をそれぞれに厚く調整し、左下厚さ調整部１０６と右下厚さ調整部１０７と左上厚さ調整部１４９と右上厚さ調整部１５０のそれぞれを遊技盤３０と共に内枠２の支え部５およびストッパ６間で挟持した。このため、透光性の遊技盤３０に比べて前後方向の厚さ寸法が大きなベニヤ製の遊技盤を内枠２の支え部５およびストッパ６間で前後方向から挟持することが可能になるので、透光性の遊技盤３０およびベニヤ製の遊技盤間で内枠２を共通化することに対する一方の障害が解消される。しかも、裏樋８０と装飾図柄表示器２２０との間に液晶ステー１６０を設け、装飾図柄表示器２２０を液晶ステー１６０に接触状態で配置することで遊技盤３０に液晶ステー１６０および裏樋８０の両者を介して背負わせる形態で固定した。このため、内枠２に装飾図柄表示器２２０を固定するための部材を設ける必要がなくなるので、ベニヤ製の遊技盤および透光性の遊技盤３０間で内枠２を共通化することに対する他方の障害が解消され、ベニヤ製の遊技盤および透光性の遊技盤３０間で内枠２を共通化することが可能になる。これに加えて電動始動装置４８の上樋５２あるいは電動始動装置４８の下樋５３あるいは特別電動入賞装置５４の樋５７あるいは左入賞装置５８の左樋６３あるいは右入賞装置５９の右樋６５の後方に装飾図柄表示器２２０が位置する場合であっても装飾図柄表示器２２０を液晶ステー１６０の前後方向の厚みに相当する分だけ遊技盤３０の後面から余分に離間して配置することができるので、装飾図柄表示器２２０が上樋５２等に干渉することを防止できる。さらに、裏樋８０に裏樋８０とは別部品である液晶ステー１６０を接合した。このため、裏樋８０そのものの後面が平滑面になるので、遊技盤３０の後面に裏樋８０を液晶ステー１６０の未装着状態で固定することで遊技盤３０の後面を傷付き防止し、遊技盤３０を後面の傷付き防止状態で製造設備に搬送ローラによって安定した姿勢で搬送することができる。
【００７０】
下部裏樋９０と左部裏樋１２０と右部裏樋１３０と上部裏樋１４０の全てを別個に形成して相互に連結することで裏樋８０を枠状に形成したので、裏樋８０を下部裏樋９０と左部裏樋１２０と右部裏樋１３０と上部裏樋１４０が枠状に相互に連結された単一物として成形する場合に比べて裏樋８０の歪みが少なくなる。しかも、裏樋８０を下部裏樋９０と左部裏樋１２０と右部裏樋１３０と上部裏樋１４０が枠状に相互に連結された単一物として成形する場合に比べて小形な成形設備を使用することができるので、裏樋８０を製造するための製造コストが低減される。
【００７１】
下部ステー１６１と左部ステー１６２と右部ステー１６３と上部ステー１６４の全てを別個に形成して相互に連結することで液晶ステー１６０を枠状に形成したので、液晶ステー１６０を下部ステー１６１と左部ステー１６２と右部ステー１６３と上部ステー１６４が枠状に相互に連結された単一物として成形する場合に比べて液晶ステー１６０の歪みが少なくなる。しかも、液晶ステー１６０を下部ステー１６１と左部ステー１６２と右部ステー１６３と上部ステー１６４が枠状に相互に連結された単一物として成形する場合に比べて小形な成形設備を使用することができるので、液晶ステー１６０を製造するための製造コストが低減される。
【００７２】
液晶ステー１６０の下部ステー１６１を下部裏樋９０に直接的に接合し、液晶ステー１６０の左部ステー１６２を左部裏樋１２０に直接的に接合し、液晶ステー１６０の右部ステー１６３を右部裏樋１３０に直接的に接合し、液晶ステー１６０の上部ステー１６４を上部裏樋１４０に直接的に接合したので、下部ステー１６１および下部裏樋９０相互間と左部ステー１６２および左部裏樋１２０相互間と右部ステー１６３および右部裏樋１３０相互間と上部ステー１６４および上部裏樋１４０相互間のそれぞれを正確な位置関係で接合することができる。このため、裏樋８０および液晶ステー１６０を一体成形された単一物に見せかけることができるので、見栄えが向上する。
【００７３】
装飾図柄表示器２２０を遊技盤３０に裏樋８０を介して接合した。このため、装飾図柄表示器２２０から遊技盤３０に熱が伝わり難くなるので、遊技盤３０が装飾図柄表示器２２０からの熱で悪影響を受けることが防止される。しかも、製造時に遊技盤３０の後面が直接的に接地することがなくなるので、遊技盤３０の後面に傷が付き難くなる。
【００７４】
下部裏樋９０の前面に下意匠板１７０を固定することで装飾を施した。このため、下部裏樋９０を交換することで遊技盤３０の装飾を変更することができるので、この点からも裏樋８０の全体を交換することなく機種毎の装飾の違いに対応できる。
【００７５】
下部裏樋９０の前面に装飾を施すにあたって下意匠板１７０をネジ止めした。このため、下部裏樋９０からネジを取外して下意匠板１７０を別のものに交換することができるので、下部裏樋９０を交換することなく下意匠板１７０を交換するだけでも遊技盤３０の装飾を変更することができる。この効果は上意匠板１８０についても同一である。
【００７６】
下部裏樋９０に隣の左部裏樋１２０に前後方向から重なる左ラップ部１０３を形成し、左ラップ部１０３および左部裏樋１２０を共通のネジ１２５を介して遊技盤３０に固定した。このため、遊技盤３０にネジ１２５を螺合する単一の作業で下部裏樋９０および左部裏樋１２０を相互に連結し、しかも、下部裏樋９０および左部裏樋１２０の双方を遊技盤３０に固定することができる。この効果は下部裏樋９０の右ラップ部１０４と上部裏樋１４０の左ラップ部１４２と上部裏樋１４０の右ラップ部１４３についても同一である。
【００７７】
外レール３１を遊技盤３０に固定するレール釘３３の突出部分が収納されるボス部１０１とボス部１２７とボス部１５１を裏樋８０に形成し、内レール３４を遊技盤３０に固定するレール釘３３の突出部分が収納されるボス部１０２とボス部１２６とボス部１３６を裏樋８０に形成し、ボス部１０１とボス部１２７とボス部１５１のそれぞれが外レール３１を遊技盤３０に固定するレール釘３３の突出部分を取囲み、ボス部１０２とボス部１２６とボス部１３６のそれぞれが内レール３４を遊技盤３０に固定するレール釘３３の突出部分を取囲むように構成した。このため、作業者がレール釘３３の突出部分に注意を払うことなく遊技盤３０を取り扱うことができるようになるので、ベニヤ製の遊技盤に合せた大きな長さのレール釘３３およびベニヤ製の遊技盤に合せた大きな圧入量のレール圧入機の双方をそのまま利用して透光性の遊技盤３０に金属製の外レール３１および金属製の内レール３４を固定することが可能になる。
【００７８】
上記実施例１においては、保留回数表示器２４２と特別図柄表示器２４４と普通図柄表示器２５０のうちの２種類を上部裏樋１４０に固定したり、あるいは、保留回数表示器２４２と特別図柄表示器２４４と普通図柄表示器２５０のうちの１種類を上部裏樋１４０に固定しても良い。
【００７９】
上記実施例１においては、保留回数表示器２４２と特別図柄表示器２４４と普通図柄表示器２５０を下部裏樋９０に固定したり、あるいは、左部裏樋１２０に固定したり、あるいは、右部裏樋１３０に固定しても良い。
【００８０】
上記実施例１においては、保留回数表示器２４２と特別図柄表示器２４４と普通図柄表示器２５０に対して共通の窓部を設け、前方から遊技盤３０および共通の窓部を通して保留回数表示器２４２と特別図柄表示器２４４と普通図柄表示器２５０を視覚的に認識可能な状態にしても良い。
上記実施例１においては、上部裏樋１４０に特別図柄表示器２４４が収納可能な専用の収納部を複数形成し、上部裏樋１４０に普通図柄表示器２５０が収納可能な専用の収納部を複数形成しても良い。
【００８１】
上記実施例１においては、下部裏樋９０と左部裏樋１２０と右部裏樋１３０と上部裏樋１４０の全てを一体で成形したり、あるいは、下部裏樋９０と左部裏樋１２０と右部裏樋１３０と上部裏樋１４０のうちのいずれか１つを残りのものとは別個に成形したり、あるいは、下部裏樋９０と左部裏樋１２０と右部裏樋１３０と上部裏樋１４０のうちのいずれか２つを残りのものとは別個に成形したり、あるいは、下部裏樋９０と左部裏樋１２０と右部裏樋１３０と上部裏樋１４０のうちのいずれか３つを残りのものとは別個に成形しても良い。
【００８２】
上記実施例１においては、下部ステー１６１と左部ステー１６２と右部ステー１６３と上部ステー１６４の全てを一体で成形したり、あるいは、下部ステー１６１と左部ステー１６２と右部ステー１６３と上部ステー１６４のうちのいずれか１つを残りのものとは別個に成形したり、あるいは、下部ステー１６１と左部ステー１６２と右部ステー１６３と上部ステー１６４のうちのいずれか２つを残りのものとは別個に成形したり、あるいは、下部ステー１６１と左部ステー１６２と右部ステー１６３と上部ステー１６４のうちのいずれか３つを残りのものとは別個に成形しても良い。
【００８３】
上記実施例１においては、下部ステー１６１と左部ステー１６２と右部ステー１６３と上部ステー１６４を相互に枠状に接合することなく下部ステー１６１を下部裏樋９０に直接的に接合し、左部ステー１６２を左部裏樋１２０に直接的に接合し、右部ステー１６３を右部裏樋１３０に直接的に接合し、上部ステー１６４を上部裏樋１４０に直接的に接合しても良い。
【００８４】
上記実施例１においては、下部裏樋９０の前面および上部裏樋１４０の前面に印刷を直接的に施したり、あるいは、シールを直接的に貼付することで装飾を施しても良い。
上記実施例１においては、左部裏樋１２０の前面および右部裏樋１３０の前面に装飾を施しても良い。
【００８５】
上記実施例１においては、２０インチ以外の大きさの装飾図柄表示器２２０を使用しても良い。
上記実施例１においては、左下厚さ調整部１０６と右下厚さ調整部１０７と左上厚さ調整部１４９と右上厚さ調整部１５０のうちの一箇所または２箇所または３箇所を遊技盤３０と共に支え部５およびストッパ６間で挟持しても良い。
【００８６】
上記実施例１においては、左部裏樋１２０および右部裏樋１３０の両者については後面にリブを形成し、前面を平滑面としても良い。また、下部裏樋９０および上部裏樋１４０の両者については後面にリブを形成し、前面を平滑面としても良い。前述した「搬送時の安定性」の効果を得るためには少なくとも一つの裏樋について前面にリブを形成し後面を平滑面とすれば良いが、さらなる安定性を求めるためには、前者の別例あるいは後者の別例のように、少なくとも対向する位置にある裏樋の両方について前面にリブを形成し後面を平滑面とすると良い。
【００８７】
上記実施例１においては、正方形状の液晶画面を有する装飾図柄表示器２２０を使用しても良い。
上記実施例１においては、レール釘３３の突出部分が挿入されるボス部１０１とボス部１０２とボス部１２６とボス部１２７とボス部１３６とボス部１５１を有底状に形成しても良い。この場合、レール釘３３の先端部がボス部１０１等の底板によって覆われるので、作業者がレール釘３３の先端部に注意する必要が全くなくなる。しかも、裏樋８０の剛性が高まるので、裏樋８０の歪みを抑制する効果が高まる。
【００８８】
上記実施例１においては、レール釘３３の突出部分が挿入されるボス部１０１とボス部１０２とボス部１２６とボス部１２７とボス部１３６とボス部１５１を四角柱状等の角柱状に形成しても良い。この場合、裏樋８０の剛性確保に有利である。
【００８９】
上記実施例１においては、上部裏樋１４０に４Ｎ（Ｎは２以上の自然数）個のＬＥＤ挿入孔１５７を形成し、４個の保留ＬＥＤ２４３を４Ｎ個のＬＥＤ挿入孔１５７内に選択的に挿入しても良い。即ち、裏樋８０に保留回数表示器２４２を収納することが可能な複数の収納部１５３を設け、保留回数表示器２４２を複数の収納部１５３内に選択的に収納しても良い。この場合、裏樋８０を交換することなく保留回数表示器２４２の配置を複数の機種相互間の意匠の違いに合せて変更することができる。
【００９０】
上記実施例１においては、上部裏樋１４０に５個以上のＬＥＤ挿入孔１５７を形成し、４個の保留ＬＥＤ２４３を５個以上のＬＥＤ挿入孔１５７内に選択的に挿入しても良い。即ち、裏樋８０にＮ個の保留ＬＥＤ２４３を収納することが可能な「Ｎ＋１」個以上の収納部を設け、Ｎ個の保留ＬＥＤ２４３を「Ｎ＋１」個以上の収納部内に選択的に収納しても良い。この場合、裏樋８０を交換することなく複数の保留ＬＥＤ２４３の配置を複数の機種相互間の意匠の違いに合せて変更することができる。
【００９１】
上記実施例１においては、保留回数表示器２４２として特別図柄表示器２４４および普通図柄表示器２５０と同様のＬＥＤ表示器を用いても良い。この場合、保留回数表示器２４２を裏樋８０の複数の収納部内に選択的に収納する構成としても良い。
【図面の簡単な説明】
【００９２】
【図１】実施例１を示す図（パチンコ遊技機の全体構成を示す斜視図）
【図２】遊技盤ユニットおよび内枠を分解状態で示す斜視図
【図３】遊技盤ユニットを分解状態で示す斜視図
【図４】遊技盤を示す前面図
【図５】遊技盤ユニットを示す図
【図６】外レールおよび内レールの固定状態を示す図
【図７】下部裏樋を示す図
【図８】左部裏樋を示す図
【図９】右部裏樋を示す図
【図１０】上部裏樋を示す図
【図１１】液晶ステーを示す図
【図１２】下意匠板を示す図
【図１３】上意匠板を示す図
【図１４】裏樋カバーを示す図
【図１５】表示器ケースを示す図
【図１６】特別図柄表示器と普通図柄表示器と保留ＬＥＤの装着状態を示す図
【符号の説明】
【００９３】
３０は遊技盤、４８は電動始動装置、５４は特別電動入賞装置、８０は裏樋、９１はリブ、１２１はリブ、１３１はリブ、１４１はリブ、１５３は収納部、１５４〜１５６は表示器収納部、１８０は上意匠板、１８６は特図表示窓部、１８７は普通図表示窓部、１８９は保留回数表示窓部、２２０は装飾図柄表示器、２２１は表示画面、２４２は保留回数表示器、２４４は特別図柄表示器、２４５は表示画面、２５０は普通図柄表示器、２５１は表示画面、１８６ａは装飾部、１８７ａは装飾部，１８８ａは装飾部を示している。
【図１】
2007159639.tif 000003
【図２】
2007159639.tif 000004
【図３】
2007159639.tif 000005
【図４】
2007159639.tif 000006
【図５】
2007159639.tif 000007
【図６】
2007159639.tif 000008
【図７】
2007159639.tif 000009
【図８】
2007159639.tif 000010
【図９】
2007159639.tif 000011
【図１０】
2007159639.tif 000012
【図１１】
2007159639.tif 000013
【図１２】
2007159639.tif 000014
【図１３】
2007159639.tif 000015
【図１４】
2007159639.tif 000016
【図１５】
2007159639.tif 000017
【図１６】
2007159639.tif 000018